(57)【特許請求の範囲】
【請求項１】
配線パターンが形成されると共に電気部品が搭載された回路基板における被検査部位に対する検査の際にプローブをプロービングさせるプロービングポイントを当該配線パターンに設けられているポイント候補の中から規定する規定処理を実行して、当該プロービングポイントを示すポイントデータを生成する処理部を備えたデータ生成装置であって、
前記処理部は、前記検査に用いる装置の構成要素のうちの前記被検査部位に対する検査の際に当該被検査部位に近接させて被検出量を検出する第１センサおよび前記プローブの双方が前記回路基板における一方の面側に位置しているとしたときに、
前記規定処理において、前記被検査部位に直接接続される前記配線パターンとしての第１配線パターンに設けられている前記ポイント候補のうちの予め規定された規定条件に適合するポイント候補を第１適合ポイントとして特定し、
前記回路基板の構成要素および前記検査に用いる装置の構成要素と干渉することなく前記第１適合ポイントに対する前記プローブのプロービングが可能であるとのプロービング条件に適合するか否かを判定する第１判定処理を実行し、
当該第１判定処理において前記プロービング条件に適合すると判定したときには、前記第１適合ポイントを前記プロービングポイントとして規定し、
前記第１判定処理において前記プロービング条件に適合しないと判定したときには、前記第１適合ポイントを除く前記第１配線パターンにおける他のポイント候補の中に前記プロービング条件に適合するポイント候補としての第２適合ポイントが存在するか否かを判定する第２判定処理を実行し、
当該第２判定処理において前記第２適合ポイントが存在すると判定したときには、当該第２適合ポイントを前記プロービングポイントとして規定し、
前記第２判定処理において、前記第２適合ポイントが存在しないと判定したときには、前記プローブが前記一方の面側に位置すると共に前記第１センサが前記被検査部位から離間し、かつ前記検査に用いる装置の構成要素のうちの前記被検出量を検出する第２センサが前記回路基板の他方の面側に位置しているとしたときに当該一方の面側において前記第２適合ポイントが存在するか否かを判定する第３判定処理を実行し、
当該第３判定処理において前記第２適合ポイントが存在すると判定したときには、当該第２適合ポイントを前記プロービングポイントとして規定するデータ生成装置。
【請求項２】
前記処理部は、前記第２判定処理において、前記第２適合ポイントが複数存在すると判定したときには、前記被検査部位に対する検査の際に直前にプロービングされる他の前記プロービングポイントからの前記プローブの移動時間が最短となる前記第２適合ポイントを前記プロービングポイントとして規定する請求項１記載のデータ生成装置。
【請求項３】
配線パターンが形成されると共に電気部品が搭載された回路基板における被検査部位に対する検査の際にプローブをプロービングさせるプロービングポイントを当該配線パターンに設けられているポイント候補の中から規定する規定処理を実行して、当該プロービングポイントを示すポイントデータを生成するデータ生成方法であって、
前記検査に用いる装置の構成要素のうちの前記被検査部位に対する検査の際に当該被検査部位に近接させて被検出量を検出する第１センサおよび前記プローブの双方が前記回路基板における一方の面側に位置しているとしたときに、
前記規定処理において、前記被検査部位に直接接続される前記配線パターンとしての第１配線パターンに設けられている前記ポイント候補のうちの予め規定された規定条件に適合するポイント候補を第１適合ポイントとして特定し、
前記回路基板の構成要素および前記検査に用いる装置の構成要素と干渉することなく前記第１適合ポイントに対する前記プローブのプロービングが可能であるとのプロービング条件に適合するか否かを判定する第１判定処理を実行し、
当該第１判定処理において前記プロービング条件に適合すると判定したときには、前記第１適合ポイントを前記プロービングポイントとして規定し、
前記第１判定処理において前記プロービング条件に適合しないと判定したときには、前記第１適合ポイントを除く前記第１配線パターンにおける他のポイント候補の中に前記プロービング条件に適合するポイント候補としての第２適合ポイントが存在するか否かを判定する第２判定処理を実行し、
当該第２判定処理において前記第２適合ポイントが存在すると判定したときには、当該第２適合ポイントを前記プロービングポイントとして規定し、
前記第２判定処理において、前記第２適合ポイントが存在しないと判定したときには、前記プローブが前記一方の面側に位置すると共に前記第１センサが前記被検査部位から離間し、かつ前記検査に用いる装置の構成要素のうちの前記被検出量を検出する第２センサが前記回路基板の他方の面側に位置しているとしたときに当該一方の面側において前記第２適合ポイントが存在するか否かを判定する第３判定処理を実行し、
当該第３判定処理において前記第２適合ポイントが存在すると判定したときには、当該第２適合ポイントを前記プロービングポイントとして規定するデータ生成方法。
【請求項４】
前記第２判定処理において、前記第２適合ポイントが複数存在すると判定したときには、前記被検査部位に対する検査の際に直前にプロービングされる他の前記プロービングポイントからの前記プローブの移動時間が最短となる前記第２適合ポイントを前記プロービングポイントとして規定する請求項３記載のデータ生成方法。
【発明の詳細な説明】
【技術分野】
【０００１】
本発明は、回路基板の電気部品に対する検査の際にプローブをプロービングさせるプロービングポイントを規定してそのプロービングポイントを示すポイントデータを生成するデータ生成装置およびデータ生成方法に関するものである。
【背景技術】
【０００２】
この種のデータ生成装置として、下記特許文献１において出願人が開示したデータ生成装置が知られている。このデータ生成装置は、電子部品における各接続端子の先端部の位置を特定可能な情報を含んだ電子部品データ、電子部品を回路基板に実装するときの回路基板上の電子部品の位置等を示す情報を含んだマウンタデータ、および回路基板上における配線パターンやランドの位置や幅（形状）を特定可能な情報を含んだ配線パターンデータ（ＣＡＤデータやガーバデータ）に基づき、電子部品が実装されている回路基板に対する検査を行う際に検査用プローブを接触（プロービング）させるプロービング位置（検査位置）を特定してその位置データを生成する。具体的には、このデータ生成装置では、実装状態における電子部品における接続端子の先端部の位置を電子部品データおよびマウンタデータに基づいて特定すると共に、配線パターンデータに基づいてランドの位置を特定して、接続端子の先端部の位置にランドが存在すると判別したときにそのランドの位置をプロービング位置として特定する。
【先行技術文献】
【特許文献】
【０００３】
【特許文献１】特開２０１０−１０７２６５号公報（第５−６頁、第１図）
【発明の概要】
【発明が解決しようとする課題】
【０００４】
ところが、上記のデータ生成装置には、改善すべき以下の課題がある。すなわち、このデータ生成装置では、電子部品における接続端子の先端部に存在するランドの位置をプロービング位置として特定している。一方、例えば、回路基板に実装された電子部品についての検査（例えば、電子部品の接続端子と配線パターンとの接続状態の良否検査）を行う際に、プロービング位置にプローブをプロービングさせて検査用信号を供給した状態で、電子部品の上方にセンサ（例えば、磁気センサ）を位置させ、そのセンサによって検出された物理量（例えば、磁界）に基づいて電子部品についての検査を行う検査装置、つまりプローブに加えてセンサを用いる検査装置（例えば、特開２００６−３４３１０３号公報において出願人が開示した回路基板検査装置）が知られている。しかしながら、上記のデータ生成装置では、この種のセンサを用いることを考慮して位置データを生成していないため、この種のセンサを用いる検査装置において、上記のデータ生成装置で生成した位置データによって示されるプロービング位置にプローブをプロービングさせようとしたときには、プローブとセンサとが接触するおそれがある。この場合、この種の検査装置では、一般的に、プローブとセンサとが互いに接触する範囲を予め規定して、その範囲内にプロービング位置が規定されているときには、そのプロービング位置にプローブをプロービングさせて行う検査ステップを省略（ジャンプ）するように構成されている。このため、従来のデータ生成装置によって生成された位置データを用いて検査を行う際には、検査ステップが省略されて未検査の部位が生じて検査精度の向上が困難となるおそれがあり、この点の改善が望まれている。
【０００５】
本発明は、かかる課題に鑑みてなされたものであり、検査精度の向上が可能なポイントデータを生成し得るデータ生成装置およびデータ生成方法を提供することを主目的とする。
【課題を解決するための手段】
【０００６】
上記目的を達成すべく請求項１記載のデータ生成装置は、配線パターンが形成されると共に電気部品が搭載された回路基板における被検査部位に対する検査の際にプローブをプロービングさせるプロービングポイントを当該配線パターンに設けられているポイント候補の中から規定する規定処理を実行して、当該プロービングポイントを示すポイントデータを生成する処理部を備えたデータ生成装置であって、前記処理部は、前記検査に用いる装置の構成要素のうちの前記被検査部位に対する検査の際に当該被検査部位に近接させて被検出量を検出する第１センサおよび前記プローブの双方が前記回路基板における一方の面側に位置しているとしたときに、前記規定処理において、前記被検査部位に直接接続される前記配線パターンとしての第１配線パターンに設けられている前記ポイント候補のうちの予め規定された規定条件に適合するポイント候補を第１適合ポイントとして特定し、前記回路基板の構成要素および前記検査に用いる装置の構成要素と干渉することなく前記第１適合ポイントに対する前記プローブのプロービングが可能であるとのプロービング条件に適合するか否かを判定する第１判定処理を実行し、当該第１判定処理において前記プロービング条件に適合すると判定したときには、前記第１適合ポイントを前記プロービングポイントとして規定し、前記第１判定処理において前記プロービング条件に適合しないと判定したときには、前記第１適合ポイントを除く前記第１配線パターンにおける他のポイント候補の中に前記プロービング条件に適合するポイント候補としての第２適合ポイントが存在するか否かを判定する第２判定処理を実行し、当該第２判定処理において前記第２適合ポイントが存在すると判定したときには、当該第２適合ポイントを前記プロービングポイントとして規定し、前記第２判定処理において、前記第２適合ポイントが存在しないと判定したときには、前記プローブが前記一方の面側に位置すると共に前記第１センサが前記被検査部位から離間し、かつ前記検査に用いる装置の構成要素のうちの前記被検出量を検出する第２センサが前記回路基板の他方の面側に位置しているとしたときに当該一方の面側において前記第２適合ポイントが存在するか否かを判定する第３判定処理を実行し、当該第３判定処理において前記第２適合ポイントが存在すると判定したときには、当該第２適合ポイントを前記プロービングポイントとして規定する。
【０００７】
また、請求項２記載のデータ生成装置は、請求項１記載のデータ生成装置において、前記処理部は、前記第２判定処理において、前記第２適合ポイントが複数存在すると判定したときには、前記被検査部位に対するに対する検査の際に直前にプロービングされる他の前記プロービングポイントからの前記プローブの移動時間が最短となる前記第２適合ポイントを前記プロービングポイントとして規定する。
【０００８】
また、請求項３記載のデータ生成方法は、配線パターンが形成されると共に電気部品が搭載された回路基板における被検査部位に対する検査の際にプローブをプロービングさせるプロービングポイントを当該配線パターンに設けられているポイント候補の中から規定する規定処理を実行して、当該プロービングポイントを示すポイントデータを生成するデータ生成方法であって、前記検査に用いる装置の構成要素のうちの前記被検査部位に対する検査の際に当該被検査部位に近接させて被検出量を検出する第１センサおよび前記プローブの双方が前記回路基板における一方の面側に位置しているとしたときに、前記規定処理において、前記被検査部位に直接接続される前記配線パターンとしての第１配線パターンに設けられている前記ポイント候補のうちの予め規定された規定条件に適合するポイント候補を第１適合ポイントとして特定し、前記回路基板の構成要素および前記検査に用いる装置の構成要素と干渉することなく前記第１適合ポイントに対する前記プローブのプロービングが可能であるとのプロービング条件に適合するか否かを判定する第１判定処理を実行し、当該第１判定処理において前記プロービング条件に適合すると判定したときには、前記第１適合ポイントを前記プロービングポイントとして規定し、前記第１判定処理において前記プロービング条件に適合しないと判定したときには、前記第１適合ポイントを除く前記第１配線パターンにおける他のポイント候補の中に前記プロービング条件に適合するポイント候補としての第２適合ポイントが存在するか否かを判定する第２判定処理を実行し、当該第２判定処理において前記第２適合ポイントが存在すると判定したときには、当該第２適合ポイントを前記プロービングポイントとして規定し、前記第２判定処理において、前記第２適合ポイントが存在しないと判定したときには、前記プローブが前記一方の面側に位置すると共に前記第１センサが前記被検査部位から離間し、かつ前記検査に用いる装置の構成要素のうちの前記被検出量を検出する第２センサが前記回路基板の他方の面側に位置しているとしたときに当該一方の面側において前記第２適合ポイントが存在するか否かを判定する第３判定処理を実行し、当該第３判定処理において前記第２適合ポイントが存在すると判定したときには、当該第２適合ポイントを前記プロービングポイントとして規定する。
【０００９】
また、請求項４記載のデータ生成方法は、請求項３記載のデータ生成方法において、前記第２判定処理において、前記第２適合ポイントが複数存在すると判定したときには、前記被検査部位に対する検査の際に直前にプロービングされる他の前記プロービングポイントからの前記プローブの移動時間が最短となる前記第２適合ポイントを前記プロービングポイントとして規定する。
【発明の効果】
【００１０】
請求項１記載のデータ生成装置、および請求項３記載のデータ生成方法では、第１判定処理においてプロービング条件に適合しないと判定したときに第２判定処理を実行し、第２判定処理において他のポイント候補の中にプロービング条件に適合する第２適合ポイントが存在すると判定したときにその第２適合ポイントをプロービングポイントとして規定する。このため、このデータ生成装置およびデータ生成方法によれば、回路基板や検査に用いる装置の構成要素と干渉することなくプローブをプロービング可能な（プロービング条件に適合する）プロービングポイントのみの情報を含むポイントデータを生成することができる。したがって、このデータ生成装置およびデータ生成方法によれば、ポイントデータにプロービングが困難なプロービングポイントの情報が含まれることに起因して検査ステップが省略される（未検査の被検査部位が発生する）ことを十分に少なく抑えて、検査精度を十分に向上させることが可能なポイントデータを生成することができる。
また、請求項１記載のデータ生成装置、および請求項３記載のデータ生成方法では、第１センサおよびプローブの双方が回路基板における一方の面側に位置しているとしたときに実行した第２判定処理において第２適合ポイントが存在しないと判定したときには、プローブが一方の面側に位置すると共に第１センサが電気部品から離間しかつ第２センサが回路基板の他方の面側に位置しているとしたときに一方の面側において第２適合ポイントが存在するか否かを判定する第３判定処理を実行し、第３判定処理において第２適合ポイントが存在すると判定したときには、その第２適合ポイントをプロービングポイントとして規定する。このため、このデータ生成装置およびデータ生成方法によれば、第１磁気センサが被検査部位に近接している状態では第２適合ポイントが存在しないと判定される場合においても、第１磁気センサが被検査部位から離反している状態では第２適合ポイントとなるポイント候補をプロービングポイントとして規定することができる。したがって、このデータ生成装置およびデータ生成方法によれば、プロービング条件に適合するプロービングポイントが存在しないために検査ステップが省略される（未検査の被検査部位が発生する）ことを少なく抑えて、検査精度をさらに向上させることが可能なポイントデータを生成することができる。また、プローブをプロービングさせるポイント候補は、一般的に、回路基板の他方の面側よりも一方の面側に多く存在する。このため、第３判定処理において回路基板の一方の面側に第２適合ポイントが存在するか否かを判定するこのデータ生成装置およびデータ生成方法によれば、例えば、第２判定処理において第２適合ポイントが存在しないと判定したときに第２適合ポイントとなり得るポイント候補が他方の面側に存在するか否かを判定する処理を第３判定処理に代えて実行する構成と比較して、第３判定処理において第２適合ポイントを高い確率で探し出すことができる。
【００１１】
また、請求項２記載のデータ生成装置、および請求項４記載のデータ生成方法によれば、第２判定処理において、第２適合ポイントが複数存在すると判定したときには、被検査部位に対する検査において直前にプロービングされる他のプロービングポイントからのプローブの移動時間が最短となる第２適合ポイントをプロービングポイントとして規定することにより、プローブの移動時間を十分に短縮させて、検査効率を十分に向上させることが可能なポイントデータを生成することができる。
【図面の簡単な説明】
【００１３】
【図１】データ生成装置１，１Ａの構成を示す構成図である。
【図２】回路基板３０の構成を示す構成図である。
【図３】図２におけるＡ−Ａ線断面図である。
【図４】データ生成方法を説明するための第１の説明図である。
【図５】データ生成処理５０のフローチャートである。
【図６】データ生成方法を説明するための第２の説明図である。
【図７】データ生成方法の他の例を説明するための第１の説明図である。
【図８】データ生成方法の他の例を説明するための第２の説明図である。
【発明を実施するための形態】
【００１４】
以下、データ生成装置およびデータ生成装置の実施の形態について、図面を参照して説明する。
【００１５】
最初に、データ生成装置の一例としての図１に示すデータ生成装置１の構成について説明する。データ生成装置１は、例えば図２，３に示す回路基板３０における被検査部位（例えば、後述する配線パターン３２ａ〜３２ｈと集積回路３３の接続端子４１ａ〜４１ｈとの接続部分）に対する検査の際に、図外のプロービング機構によってプローブ１１（図２，３参照）をプロービングさせるプロービングポイントＰｐ（図４参照）を示すポイントデータＤｐを生成可能に構成されている。なお、図２，３および後述する図４，６〜８では、回路基板３０の一部のみを図示している。
【００１６】
この場合、回路基板３０は、一例として、図２，３に示すように、基板３１と、基板３１に形成された配線パターン３２ａ〜３２ｈ（以下、区別しないときには「配線パターン３２」ともいう）と、基板３１に搭載（実装）された電気部品の一例としての集積回路３３とを備えて構成されている。基板３１には、配線パターン３２を覆うようにして形成された図外のレジスト層を備えている。また、レジスト層には、配線パターン３２に対してプローブ１１の接触（電気的接続）を可能とするための開口部が設けられている。この場合、配線パターン３２における開口部によって露出している部位（開口部の底部となる部位）がポイント候補に相当し、以下、この部位を「パッドＰｔａ〜Ｐｔｍ（区別しないときには「パッドＰｔ」）」ともいう（図２参照）。また、集積回路３３は、一例として、裏面（同図における紙面奥側の面）に複数の接続端子４１ａ〜４１ｈ（以下、区別しないときには「接続端子４１」ともいう）が配列されたＢＧＡ（Ball Grid Array ）タイプの集積回路であって、各接続端子４１が各配線パターン３２に接続された状態で基板３１に搭載されている。
【００１７】
また、ポイントデータＤｐを用いて上記した被検査部位に対する検査を行う検査装置では、図３に示すように、プロービングポイントＰｐにプロービングさせたプローブ１１を介して検査用の電気信号を供給し、その状態でセンサの一例としての磁気センサ２１を集積回路３３（被検査部位）の上方に近接させて磁界を検出し、磁界の検出結果に基づいて被検査部位を検査する。この場合、この検査装置では、プローブ１１および磁気センサ２１の双方が回路基板３０における一方の面（同図における上面）側に位置している。
【００１８】
一方、データ生成装置１は、図１に示すように、操作部２、表示部３、記憶部４および処理部５を備えて構成されている。操作部２は、キーボード等の入力装置を備えて構成されて、操作に応じて処理部５に対して操作信号を出力する。表示部３は、処理部５の制御に従い、各種の画像を表示する。
【００１９】
記憶部４は、例えば、磁気記憶媒体やＲＡＭなどを備えて構成され、処理部５に対してデータ生成処理５０（図５）を実行させる処理プログラムＰｒを記憶する。また、記憶部４は、回路基板３０についての設計データＤｄを記憶する。この設計データＤｄは、データ生成処理５０において用いられるデータであって、回路基板３０における配線パターン３２の形状および配線パターン３２の基板３１上の位置を特定可能なデータや、レジスト層に形成されている開口部の形状および基板３１上の位置を特定可能なデータを含んで構成されている。この場合、設計データＤｄは、一例としてガーバフォーマット形式で記述されている。また、記憶部４は、回路基板３０についてのマウントデータＤｍを記憶する。このマウントデータＤｍは、回路基板３０に搭載する電気部品の大きさや搭載位置、および電気部品の接続端子が接続される配線パターン３２や、その配線パターン３２における接続端子との接続位置を特定可能なデータを含んで構成されている。また、記憶部４は、データ生成処理５０において生成されるポイントデータＤｐを記憶する。
【００２０】
処理部５は、操作部２から出力される操作信号に従ってデータ生成装置１を構成する各部を制御する。また、処理部５は、図５に示すデータ生成処理５０を実行することにより、上記したプロービングポイントＰｐを、配線パターン３２に設けられているパッドＰｔ（ポイント候補）の中から規定し（規定処理を実行し）、そのプロービングポイントＰｐを示すポイントデータＤｐを生成する。
【００２１】
次に、データ生成装置１を用いて、一例として、図２に示す回路基板３０の被検査部位（配線パターン３２と集積回路３３の接続端子４１との接続部位）に対する検査の際にプローブ１１をプロービングさせるプロービングポイントＰｐを特定してポイントデータＤｐを生成するデータ生成方法、およびその際のデータ生成装置１の動作について、図面を参照して説明する。この場合、上記した処理プログラムＰｒ、並びに回路基板３０についての設計データＤｄおよびマウントデータＤｍが記憶部４に既に記憶されているものとする。
【００２２】
まず、操作部２を操作して処理の実行を指示する。これに応じて、処理部５が、記憶部４から処理プログラムＰｒを読み出す。次いで、処理部５は、処理プログラムＰｒに従い、図５に示すデータ生成処理５０を実行する。このデータ生成処理５０では、処理部５は、設計データＤｄおよびマウントデータＤｍを記憶部４から読み出す（ステップ５１）。
【００２３】
続いて、処理部５は、設計データＤｄに基づき、配線パターン３２の形状、および配線パターン３２の基板３１上の位置を特定すると共に、レジスト層に形成されている開口部の形状、および開口部の基板３１上の位置、つまり、配線パターン３２に設けられているパッドＰｔ（ポイント候補）の位置を特定する（ステップ５２）。
【００２４】
次いで、処理部５は、マウントデータＤｍに基づき、集積回路３３の各接続端子４１が接続される配線パターン３２、およびその配線パターン３２における各接続端子４１との接続位置を特定する（ステップ５３）。
【００２５】
続いて、処理部５は、各接続端子４１の１つとして、例えば接続端子４１ａ（図２参照）を選択し、接続端子４１ａについての規定処理を実行する。この規定処理では、処理部５は、接続端子４１ａに直接接続されるべき配線パターン３２ａ（被検査部位に直接接続される第１配線パターン：同図参照）に設けられているパッドＰｔの中で、配線パターン３２ａと接続端子４１ａとの接続位置からの配線パターン３２ａに沿った離間距離が最も短いとの条件（予め規定された規定条件）に適合するパッドＰｔａ（第１適合ポイント：同図参照）を特定する（ステップ５４）。
【００２６】
次いで、処理部５は、第１判定処理を実行する。この第１判定処理では、処理部５は、回路基板３０に搭載されている集積回路３３（回路基板３０の構成要素の一例）や、磁気センサ２１（検査に用いる装置の構成要素の一例）と干渉することなくパッドＰｔａ（第１適合ポイント）に対するプローブ１１のプロービングが可能であるとのプロービング条件に適合するか否かを判定する（ステップ５５）。
【００２７】
ここで、図２に破線で示すように、パッドＰｔａにプローブ１１をプロービングさせようとしたときには、プローブ１１を保持するアーム部１２やアーム部１２を支持する支持部１３と磁気センサ２１との干渉によってプロービングが困難となる。つまり、パッドＰｔａについては、プロービング条件に適合しないこととなる。この際には、処理部５は、ステップ５５においてプロービング条件に適合しないと判定し、続いて、第２判定処理を実行する。この第２判定処理では、処理部５は、パッドＰｔａ（第１適合ポイント）を除く配線パターン３２ａ（第１配線パターン）における他のパッドＰｔ（ポイント候補）の中にプロービング条件に適合する第２適合ポイントが存在するか否かを判定する（ステップ５６）。
【００２８】
この場合、図４に破線で示すように、集積回路３３や磁気センサ２１と干渉することなくパッドＰｔｂに対するプローブ１１のプロービングが可能なため、処理部５は、ステップ５６において、プロービング条件に適合する第２適合ポイントとして、パッドＰｔｂが存在すると判定し、続いて、パッドＰｔｂをプロービングポイントＰｐとして規定する（ステップ５７）。
【００２９】
次いで、処理部５は、集積回路３３のすべての接続端子４１について規定処理を実行したか否かを判定する（ステップ５８）。この場合、すべての接続端子４１について規定処理が完了していないため、処理部５は、次の接続端子４１として接続端子４１ｂを選択して、上記したステップ５４を実行する。
【００３０】
この場合、処理部５は、ステップ５４において、接続端子４１ｂについての第１適合ポイントとして、図６に示すパッドＰｔｃを特定する。続いて、処理部５は、上記したステップ５５を実行して、プロービング条件に適合するか否かを判定する。この場合、同図に破線で示すように、パッドＰｔｃにプローブ１１をプロービングさせようとしたときには、アーム部１２および支持部１３と磁気センサ２１との干渉によってプロービングが困難となるため、処理部５は、ステップ５５においてプロービング条件に適合しないと判定し、次いで、ステップ５６（第２判定処理）を実行する。
【００３１】
この場合、図６に破線で示すように、接続端子４１ｂに直接接続されるべき配線パターン３２ｂに設けられているパッドＰｔｄ，Ｐｔｅに対しては、集積回路３３や磁気センサ２１と干渉することなくプローブ１１のプロービングが可能なため、処理部５は、ステップ５６において、プロービング条件に適合する第２適合ポイントとして、２つのパッドＰｔｄ，Ｐｔｅが存在すると判定し、続いて、ステップ５７を実行してプロービングポイントＰｐを規定する。
【００３２】
ここで、処理部５は、上記のように第２適合ポイントが複数存在すると判定したときには、被検査部位に対する検査の際に、直前にプロービングされる他のプロービングポイントＰｐからのプローブ１１の移動時間が最短となる第２適合ポイントをプロービングポイントＰｐとして規定する。具体的には、例えば、直前にプロービングされるプロービングポイントＰｐがパッドＰｔｂ（図６参照）のときには、プローブ１１の移動時間が最短となる第２適合ポイントとして、パッドＰｔｂとの間の最短移動距離（直線距離）が最も短いパッドＰｔｄをプロービングポイントＰｐとして規定する。
【００３３】
次いで、処理部５は、ステップ５８を実行して、集積回路３３のすべての接続端子４１について規定処理を実行したか否かを判定する。この場合、すべての接続端子４１について規定処理が完了していないため、処理部５は、規定処理を実行していない接続端子４１を選択して上記した各ステップ５４〜ステップ５８（規定処理）を実行する。この場合、処理部５は、接続端子４１ｃ（図６参照）についての規定処理を実行することによってパッドＰｔｇ（同図参照）をプロービングポイントＰｐとして規定し、接続端子４１ｄについての規定処理を実行することによってパッドＰｔｉ（同図参照）をプロービングポイントＰｐとして規定する。
【００３４】
また、処理部５は、接続端子４１ｅ（図６参照）についての規定処理において、第１適合ポイントとしてのパッドＰｔｊ（同図参照）がプロービング条件に適合していると判定する（ステップ５５）。この際には、処理部５は、第１適合ポイントとしてのパッドＰｔｊをプロービングポイントＰｐとして規定する（ステップ６０）。また、処理部５は、同様にして、接続端子４１ｆ，４１ｇ，４１ｈ（同図参照）についての各規定処理において、第１適合ポイントとしてのパッドＰｔｋ，Ｐｔｌ，Ｐｔｍ（同図参照）がプロービング条件に適合していると判定して（ステップ５５）、パッドＰｔｋ，Ｐｔｌ，ＰｔｍをそれぞれプロービングポイントＰｐとして規定する（ステップ６０）。
【００３５】
続いて、すべての接続端子４１について規定処理が完了したときには、処理部５は、ステップ５８において、その旨を判定し、次いでプロービングポイントＰｐを示す（位置情報等のプロービングポイントＰｐを特定可能な情報を含む）ポイントデータＤｐを生成する（ステップ５９）。続いて、処理部５は、ポイントデータＤｐを記憶部４に記憶させて、データ生成処理５０を終了する。なお、処理部５は、上記したステップ５６（第２判定処理）において第２適合ポイントが存在しないと判定したときには、対象の接続端子４１についてのプロービングポイントＰｐが存在しないことを示す情報をポイントデータＤｐに含ませる。
【００３６】
このように、このデータ生成装置１およびデータ生成方法では、第１判定処理においてプロービング条件に適合しないと判定したときに第２判定処理を実行し、第２判定処理において他のパッドＰｔの中にプロービング条件に適合する第２適合ポイントが存在すると判定したときにその第２適合ポイントをプロービングポイントＰｐとして規定する。このため、このデータ生成装置１およびデータ生成方法によれば、回路基板３０や検査装置の構成要素と干渉することなくプローブ１１をプロービング可能な（プロービング条件に適合する）プロービングポイントＰｐのみの情報を含むポイントデータＤｐを生成することができる。したがって、このデータ生成装置１およびデータ生成方法によれば、ポイントデータＤｐにプロービングが困難なプロービングポイントＰｐの情報が含まれることに起因して検査ステップが省略される（未検査の被検査部位が発生する）ことを十分に少なく抑えて、検査精度を十分に向上させることが可能なポイントデータＤｐを生成することができる。
【００３７】
また、このデータ生成装置１およびデータ生成方法によれば、第２判定処理において、第２適合ポイントが複数存在すると判定したときには、検査において直前にプロービングされる他のプロービングポイントＰｐからの移動時間が最短となる第２適合ポイントをプロービングポイントＰｐとして規定することにより、プローブ１１の移動時間を十分に短縮させて、検査効率を十分に向上させることが可能なポイントデータＤｐを生成することができる。
【００３８】
なお、データ生成装置１およびデータ生成方法は、上記した構成に限定されない。例えば、上記の構成および方法では、第２判定処理（データ生成処理５０のステップ５６）において第２適合ポイントが存在しないと判定したときには、対象の接続端子４１についてのプロービングポイントＰｐが存在しないことを示す情報をポイントデータＤｐに含ませているが、第２判定処理において第２適合ポイントが存在しないと判定したときに、以下に説明する第３判定処理を実行するデータ生成装置１Ａ（図１参照）およびデータ生成方法を採用することもできる。なお、以下の説明において、上記したデータ生成装置１およびデータ生成方法と同じ構成要素については、同じ符号を付して、重複する説明を省略する。
【００３９】
このデータ生成装置１Ａおよびデータ生成方法は、被検査部位に対する検査の際に集積回路３３（被検査部位）に近接させて用いるセンサとして、２つの磁気センサ２１ａ，２１ｂ（第１センサおよび第２センサに相当する：図７参照）を備えた検査装置に用いられるポイントデータＤｐを生成する。この場合、このデータ生成装置１Ａおよびデータ生成方法では、同図に示すように、磁気センサ２１ａ（第１センサ）およびプローブ１１の双方が回路基板３０の一方の面（同図における上面）側に位置しているとしたときに、処理部５が上記した第１判定処理および第２判定処理を実行する。
【００４０】
この場合、図７に示すように、例えば、集積回路３３の接続端子４１ｉ（被検査部位）に直接接続されるべき配線パターン３２ｉにおける集積回路３３の近傍にパッドＰｔｎだけが設けられている場合において、磁気センサ２１ａが集積回路３３に近接しているとしたときに上記したデータ生成処理５０を実行したときには、処理部５は、特定処理において、まずパッドＰｔｎを第１適合ポイントとして特定し、次いで、第１判定処理においてプロービング条件に適合しないと判定する。続いて、第２判定処理において、第２適合ポイントが存在しないと判定する。この際には、処理部５は、第３判定処理を実行する。
【００４１】
この第３判定処理では、処理部５は、図８に示すように、プローブ１１が回路基板３０の一方の面（上面）側に位置すると共に、磁気センサ２１ａが集積回路３３（被検査部位）から離間し、かつ磁気センサ２１ｂ（第２センサ）が回路基板３０の他方の面（下面）側に位置している（この例では、磁気センサ２１ｂが回路基板３０に近接している）としたときに、一方の面（上面）側において第２適合ポイントが存在するか否かを判定する。この場合、同図に示すように、磁気センサ２１ａが集積回路３３から離間している状態では、パッドＰｔｎがプロービング条件に適合するため、処理部５は、第３判定処理において、第２適合ポイントが存在すると判定して、第２適合ポイントとしてのパッドＰｔｎをプロービングポイントＰｐとして規定する。
【００４２】
このデータ生成装置１Ａおよびデータ生成方法によれば、上記したように、磁気センサ２１ａが集積回路３３（被検査部位）に近接している状態では第２適合ポイントが存在しないと判定される場合においても、磁気センサ２１ａが集積回路３３（被検査部位）から離反している状態では第２適合ポイントとなるパッドＰｔをプロービングポイントＰｐとして規定することができる。このため、データ生成装置１Ａおよびデータ生成方法によれば、磁気センサ２１ａ（検査に用いる装置の構成要素）と干渉することなくプロービングが可能な（プロービング条件に適合する）プロービングポイントＰｐが存在しないために検査ステップが省略される（未検査の部位が発生する）ことを少なく抑えて、検査精度をさらに向上させることが可能なポイントデータＤｐを生成することができる。また、プローブ１１をプロービングさせるパッドＰｔは、一般的に、回路基板３０の他方の面（下面）側よりも一方の面（上面）側に多く存在する。このため、第３判定処理において回路基板３０の一方の面側に第２適合ポイントが存在するか否かを判定するこのデータ生成装置１Ａおよびデータ生成方法によれば、例えば、第２判定処理において第２適合ポイントが存在しないと判定したときに第２適合ポイントとなり得るパッドＰｔが他方の面側に存在するか否かを判定する処理を第３判定処理に代えて実行する構成と比較して、第３判定処理において第２適合ポイントを高い確率で探し出すことができる。
【００４３】
なお、上記したデータ生成装置１Ａおよびデータ生成方法において、第１センサとしての磁気センサ２１ａ、および第２センサとしての磁気センサ２１ｂの２つの磁気センサを用いるのに代えて、１つの磁気センサ２１を第１センサおよび第２センサの双方として機能させる検査装置に用いられるポイントデータＤｐを生成する構成および方法を採用することもできる。この構成および方法では、磁気センサ２１およびプローブ１１の双方が回路基板３０の一方の面側に位置しているとしたときに第１判定処理および第２判定処理を実行し、第２判定処理において第２適合ポイントが存在しないと判定したときには、磁気センサ２１を回路基板３０の一方の面側から他方の面側に移動させたとしたときに、その状態で第３判定処理を実行する。この構成および方法においても、上記したデータ生成装置１Ａおよびデータ生成方法が有する効果を実現することができる。
【００４４】
また、第２判定処理において第２適合ポイントが存在しないと判定したときに、磁気センサ２１が回路基板３０の一方の面側に位置すると共に、プローブ１１が回路基板３０の他方の面側に位置しているとしたときに他方の面側において第２適合ポイントが存在するか否かを判定する処理を、上記した第３判定処理に代えて実行する構成および方法を採用することもできる。この構成および方法では、磁気センサ２１が回路基板３０の一方の面側に配置され、プローブ１１をプロービングさせるプロービング機構が回路基板３０の一方の面側および他方の面側の双方に配置された検査装置や、磁気センサ２１が回路基板３０の一方の面側に配置され、回路基板３０の一方の面側および他方の面側の双方にプローブ１１を移動させてプロービングさせることが可能なプロービング機構を有する検査装置において用いるポイントデータＤｐを生成することができる。
【００４５】
また、上記したデータ生成装置１およびデータ生成方法では、第２判定処理において第２適合ポイントが複数存在すると判定したときに、直前にプロービングされる他のプロービングポイントＰｐからのプローブ１１の移動時間が最短となる第２適合ポイントをプロービングポイントＰｐとして規定しているが、第１適合ポイントに最も近い（第１適合ポイントとの間の直線距離が最も短い）第２適合ポイントをプロービングポイントＰｐとして規定したり、第１適合ポイントから最も離間している第２適合ポイントをプロービングポイントＰｐとして規定したりする構成および方法を採用することもできる。
【００４６】
また、配線パターン３２と集積回路３３の接続端子４１との接続部分を被検査部位とする例について上記したが、配線パターン３２におけるいずれかの部位（接続端子４１との接続部分以外の部位）や、電気部品の本体部（接続端子以外の部位）を被検査部位とすることもできる。
【００４７】
また、上記の構成および方法では、プロービング条件に含まれる「回路基板３０の構成要素」として、集積回路３３を例に挙げたが、回路基板３０の構成要素には、集積回路３３以外の他の電気部品や、回路基板３０を筐体等に取り付ける際に用いられる金具類（いずれも図示せず）なども含まれる。また、上記の構成および方法では、プロービング条件に含まれる「検査に用いる装置の構成要素」として、磁気センサ２１，２１ａ，２１ｂを例に挙げたが、検査に用いる装置の構成要素には、複数のプローブ１１を用いて検査を行う装置における他のプローブ１１や、他のプローブ１１を移動させるプロービング機構（いずれも図示せず）なども含まれる。
【符号の説明】
【００４８】
１，１Ａ  データ生成装置
５  処理部
１１  プローブ
１２  アーム部
１３  支持部
２１，２１ａ，２１ｂ  磁気センサ
３２ａ〜３２ｉ  配線パターン
３３  集積回路
４１ａ〜４１ｉ  接続端子
Ｄｄ  設計データ
Ｄｍ  マウントデータ
Ｄｐ  ポイントデータ
Ｐｐ  プロービングポイント
Ｐｔａ〜Ｐｔｎ  パッド
【図１】
0006482843.tif 000002
【図２】
0006482843.tif 000003
【図３】
0006482843.tif 000004
【図４】
0006482843.tif 000005
【図５】
0006482843.tif 000006
【図６】
0006482843.tif 000007
【図７】
0006482843.tif 000008
【図８】
0006482843.tif 000009